(57)【特許請求の範囲】
【請求項１】
動体の検知感度を高めるためにデュアルタイプの焦電センサの検知面にかけられるマスクの構造であって、
赤外線を遮断するシート部と、そのシート部に形成された貫通孔からなる開口パターンとを含み、
前記検知面における前記焦電センサの二つの焦電素子の配設方向をｘ方向とし、前記検知面におけるｘ方向に垂直の方向をｙ方向とし、ｘ方向及びｙ方向それぞれの動体の動きに対して、二つの焦電素子に対する赤外線の照射範囲の割合が変化するように前記開口パターンが形成され、
前記シート部は、前記焦電センサの中心を通るｙ方向の軸に沿って平行な第一部分と、前記マスク内の周縁に設けられた第二部分とを含み、前記開口パターンは、前記第一部分と前記第二部分とに囲まれ、ｙ方向の軸の両側に設けられた二つの開口領域を含み、
一方の開口領域のｙ方向の一端部が、他方の開口領域のｙ方向の同じ側の一端部よりも、ｙ方向において突出していること、
を特徴とするマスクの構造。
【請求項２】
請求項１記載のマスクの構造であって、
前記焦電センサの中心を通るｘ方向の軸に関して、前記開口パターンは非対称であり、ｘ方向の軸により二つに分割される開口パターンの面積比が同一であること、
を特徴とするマスクの構造。
【請求項３】
請求項１または２記載のマスクの構造であって、
前記焦電センサの中心を通るｙ方向の軸に関して、前記開口パターンは非対称であり、ｙ方向の軸により二つに分割される開口パターンの面積比が同一であること、
を特徴とするマスクの構造。
【請求項４】
請求項１から３の何れかに記載のマスクの構造であって、
前記開口パターンは、前記焦電センサの中心に対し点対称であること、
を特徴とするマスクの構造。
【請求項５】
請求項４記載のマスクの構造であって、
前記開口パターンは、
ｙ方向に延伸する第一貫通孔列を構成する第一貫通孔、第二貫通孔及び第三貫通孔と、
ｙ方向に延伸する第二貫通孔列を構成する第五貫通孔、第六貫通孔及び第七貫通孔と、
前記第一貫通孔列の、前記第二貫通孔列がない側に配置された第四貫通孔と、
前記第二貫通孔列の、前記第一貫通孔列がない側に配置された第八貫通孔とを含み、
前記第二貫通孔及び第七貫通孔は、ｘ方向に延伸する列を形成し、
前記第三貫通孔及び第六貫通孔は、ｘ方向に延伸する列を形成し、
前記第四貫通孔、前記第一貫通孔及び前記第二貫通孔は、正三角形の頂点の位置に配置されており、
前記第八貫通孔、前記第五貫通孔及び前記第六貫通孔は、正三角形の頂点の位置に配置されていること、
を特徴とするマスクの構造。
【請求項６】
請求項１記載のマスクの構造であって、
前記二つの開口領域のｙ方向の軸側のｙ方向の長さが、ぞれぞれ、前記二つの焦電素子のｙ方向の長さと同等以上であること、
を特徴とするマスクの構造。
【発明の詳細な説明】
【技術分野】
【０００１】
本発明は、焦電センサにかけられるマスクの構造に関する。特に、動体の検知感度を高めるためにデュアルタイプの焦電センサの検知面にかけられるマスクの構造に関する。
【背景技術】
【０００２】
焦電センサにマスクをかける従来技術として特許文献１が知られている。特許文献１では焦電センサのレンズにマスクをかけることで検知エリアを設定調節している。
【０００３】
焦電センサは、強誘電体セラミックスのような焦電体と言われる素子（以下「焦電素子」という）の焦電効果を利用する。焦電効果とは、動物や人体等（以下、単に「人体等」という）が放射する赤外線のような僅かな熱エネルギーの変化で、焦電体の表面に電荷が誘起され、起電力を発生する現象である。なお、動体とは、赤外線を放射する人体等を含む。
【０００４】
図１及び図２を用いて焦電素子９１の動作原理を説明する。図１に示すように、分極処理を施した焦電素子９１の分極は一定の温度Ｔ［℃］において安定している。この状態では、静電気の性質により、各分極（マイナス面及びプラス面）にはそれぞれ正及び負の浮遊電荷が吸引され、焦電素子９１の上面と下面との間に電位差はない。
【０００５】
焦電素子９１の赤外線が入射する側には図示しない黒化膜があり、赤外線が入射すると、黒化膜でその赤外線エネルギーを熱エネルギーに変換し、焦電素子９１に温度変化ΔＴ［℃］を生じさせる。焦電素子９１の分極には温度依存性があるため、図２のように、温度変化によって焦電素子９１内部の分極の大きさが変化する。このとき、浮遊電荷による表面電荷は、分極の変化ほど早く温度変化に対応できないので、素子表面では、一時的に分極変化した分だけ電荷が存在する。この電荷による起電力によって電流が流れる。
【０００６】
次にデュアルタイプの焦電センサ９０について説明する。図３はデュアルタイプの焦電センサ９０の回路図を示す。デュアルタイプの焦電センサ９０は、極性の異なる二つの焦電素子９１Ｒ，９１Ｌが検知面に配置される。二つの焦電素子９１Ｒ，９１Ｌが逆極性で直列に接続されている。二つの焦電素子９１Ｒ，９１Ｌの出力の差分を焦電センサ９０の出力とする。そのため、以下のような特徴がある。
（１）二つの焦電素子９１Ｒ，９１Ｌを横切る方向（配設方向）に動体が移動すると、順次、＋、−の方向に交流的な電圧変化が発生する。このため、センサ回路の出力電圧が大きくとれる。
（２）太陽光等の外光が二つの焦電素子９１Ｒ，９１Ｌに同時に入力した場合、逆極性に接続されているため、互いに打ち消し合って出力を発生しない。このため、誤作動を防げる。
（３）その他、振動や温度等の周囲の環境変化に対して強い。
【０００７】
このようなデュアルタイプの焦電センサ９０は、集光性の高いフレネルレンズと組合せて使用されることが一般的である。しかし、比較的近距離の検知では、フレネルレンズの代わりにパンチングメタルのような開口パターンを持つマスクと組合せて小型化を実現したものが製品化されている。
【０００８】
図４は液晶ディスプレイの下部に取り付けられたマスク９３の外観図を、図５はマスク９３の開口パターンの概略図を、図６は動体８１が焦電センサ８０を横切る場合の不感地帯８２（マスクの影）の変化を、図７Ａは動体８１が焦電センサ８０の正面に位置する場合の不感地帯８２と二つの焦電素子９１Ｒ，９１Ｌとの位置関係を、図７Ｂは動体８１が焦電センサ８０に対してｘ方向（左方向）に移動した場合の不感地帯８２と二つの焦電素子９１Ｒ，９１Ｌとの位置関係を、図７Ｃは図７Ａから図７Ｂへの不感地帯８２の移動による出力のイメージを示す。ただし、図６、図７Ａ及び図７Ｂにおいて、簡略化のため、開口パターン及び照射部分を円形状ではなく、開口パターン及び照射部分が存在する領域として表示している。
【０００９】
このようにマスクにより二つの焦電素子９１Ｒ，９１Ｌに赤外線が当たらない不感地帯８２を任意に作り出すことで動体８１の動きに対する検知感度を高めることができることが知られている。各焦電素子９１Ｒ，９１Ｌの面積を便宜上Ｔｏｔａｌ９０％とすると、図７Ｂにおいて、焦電素子９１Ｒの照射範囲が３０％増加し、焦電素子９１Ｌの照射範囲が３０％減少し、その差分は６０％となる。この差分を用いることで検知感度を高めることができる。
【先行技術文献】
【特許文献】
【００１０】
【特許文献１】特開平１０−１６２２５６号公報
【発明の概要】
【発明が解決しようとする課題】
【００１１】
しかしながら、従来技術は、ｙ方向に動体が動いた場合、図７Ｄに示すように、二つの焦電素子９１Ｒ，９１Ｌに照射される赤外線の量は変わらないため、動体の動きを検知できない。つまり、二つの焦電素子９１Ｒ，９１Ｌの配列方向（ｘ方向）に対して、動体の動きを検知することはできるが、配列方向に対し垂直の方向（ｙ方向）に対する動体の動きを検知することはできない。
【００１２】
例えば、液晶ディスプレイは、ランドスケープ（長辺を水平に、短辺を垂直にした状態）で利用することもあれば、ポートレート（短辺を水平に、長辺を垂直にした状態）で利用することもある。液晶ディスプレイが何れの状態で利用されていても、利用者の動きを精度良く検知しようと思うと、二つの焦電センサ（ランドスケープ用の焦電センサとポートレート用の焦電センサ）を取り付けるか、もしくは、機械的に焦電センサを９０度回転させるための機構等を取り付ける必要がある。
【００１３】
本発明は、二つの焦電素子の配列方向及び配列方向に対し垂直の方向において、動体の動きを精度良く検知することができるデュアルタイプの焦電センサのためのマスクの構造を提供することを目的とする。
【課題を解決するための手段】
【００１４】
上記の課題を解決するために、本発明の第一の態様によれば、動体の検知感度を高めるためにデュアルタイプの焦電センサの検知面にかけられるマスクの構造は、赤外線を遮断するシート部と、そのシート部に形成された貫通孔からなる開口パターンとを含む。検知面における焦電センサの二つの焦電素子の配設方向をｘ方向とし、検知面におけるｘ方向に垂直の方向をｙ方向とし、ｘ方向及びｙ方向それぞれの動体の動きに対して、二つの焦電素子に対する赤外線の照射範囲の割合が変化するように開口パターンが形成されている。
【発明の効果】
【００１５】
本発明に係るマスクの構造を利用すれば、デュアルタイプの焦電センサで二つの焦電素子の配列方向及び配列方向に対し垂直の方向において、動体の動きを精度良く検知することができるという効果を奏する。
【図面の簡単な説明】
【００１６】
【図１】一定の温度Ｔ［℃］における焦電素子の状態を示す図。
【図２】温度変化によって焦電素子内部の分極の大きさが変化した状態を示す図。
【図３】デュアルタイプの焦電センサの回路図。
【図４】液晶ディスプレイの下部に取り付けられたマスクの外観図。
【図５】マスクの開口パターンの概略図。
【図６】動体が焦電センサを横切る場合の不感地帯の変化を示す図。
【図７】図７Ａは動体が焦電センサの正面に位置する場合の不感地帯と二つの焦電素子との位置関係を、図７Ｂは動体が焦電センサに対してｘ方向（左方向）に移動した場合の不感地帯と二つの焦電素子との位置関係を、図７Ｃは図７Ａから図７Ｂへの不感地帯の移動による出力のイメージを、図７Ｄは動体が焦電センサに対してｙ方向（上方向）に移動した場合の不感地帯と二つの焦電素子との位置関係を示す図
【図８】図８Ａは第一実施形態に係るマスクの外観図を、図８Ｂはマスクの開口パターンの寸法例を示す図。
【図９】第一実施形態に係るマスクの開口パターンを含む構造の概略図。
【図１０】図１０Ａは動体が焦電センサの正面に位置する場合の第一実施形態に係るマスクの開口パターンの不感地帯と二つの焦電素子との位置関係を、図１０Ｂは動体が焦電センサに対してｘ方向（左方向）に移動した場合の第一実施形態に係るマスクの開口パターンの不感地帯と二つの焦電素子との位置関係を、図１０Ｃは動体が焦電センサに対してｙ方向（上方向）に移動した場合の第一実施形態に係るマスクの開口パターンの不感地帯と二つの焦電素子との位置関係を示す図。
【図１１】各開口パターンにおける動体の移動に伴う照射範囲の変化を示す図。
【図１２】開口パターン１１２Ａを含む構造の概略図を示す図。
【図１３】図１３Ａは動体が焦電センサの正面に位置する場合の開口パターン１１２Ａの不感地帯と二つの焦電素子との位置関係を、図１３Ｂは動体が焦電センサに対してｘ方向（左方向）に移動した場合の開口パターン１１２Ａの不感地帯と二つの焦電素子との位置関係を、図１３Ｃは動体が焦電センサに対してｙ方向（上方向）に移動した場合の開口パターン１１２Ａの不感地帯と二つの焦電素子との位置関係を示す図。
【図１４】開口パターン１１２Ｂを含む構造の概略図を示す図。
【図１５】図１５Ａは動体が焦電センサの正面に位置する場合の開口パターン１１２Ｂの不感地帯と二つの焦電素子との位置関係を、図１５Ｂは動体が焦電センサに対してｘ方向（左方向）に移動した場合の開口パターン１１２Ｂの不感地帯と二つの焦電素子との位置関係を、図１５Ｃは動体が焦電センサに対してｙ方向（上方向）に移動した場合の開口パターン１１２Ｂの不感地帯と二つの焦電素子との位置関係を示す図。
【図１６】開口パターン１１２Ｃを含む構造の概略図を示す図。
【図１７】図１７Ａは動体が焦電センサの正面に位置する場合の開口パターン１１２Ｃの不感地帯と二つの焦電素子との位置関係を、図１７Ｂは動体が焦電センサに対してｘ方向（左方向）に移動した場合の開口パターン１１２Ｃの不感地帯と二つの焦電素子との位置関係を、図１７Ｃは動体が焦電センサに対してｙ方向（上方向）に移動した場合の開口パターン１１２Ｃの不感地帯と二つの焦電素子との位置関係を示す図。
【図１８】開口パターン１１２Ｄを含む構造の概略図を示す図。
【図１９】図１９Ａは動体が焦電センサの正面に位置する場合の開口パターン１１２Ｄの不感地帯と二つの焦電素子との位置関係を、図１９Ｂは動体が焦電センサに対してｘ方向（左方向）に移動した場合の開口パターン１１２Ｄの不感地帯と二つの焦電素子との位置関係を、図１９Ｃは動体が焦電センサに対してｙ方向（上方向）に移動した場合の開口パターン１１２Ｄの不感地帯と二つの焦電素子との位置関係を示す図。
【図２０】図２０Ａ及び図２０Ｂは開口パターンを形成する複数の貫通孔が円形状でない場合の変形例を、図２０Ｃ及び図２０Ｄは開口パターンを形成する複数の貫通孔が四つ以上でなく、二つの焦電素子に対応するものである場合の変形例を、図２０Ｅ及び図２０Ｆは開口パターンを形成する複数の貫通孔が焦電センサの中心に対し点対称でない場合の変形例を、図２０Ｇは開口パターンを形成する貫通孔が一つである場合の変形例を示す図。
【発明を実施するための形態】
【００１７】
以下、本発明の実施形態について説明する。なお、以下の説明に用いる図面では、同じ機能を持つ構成部には同一の符号を記し、重複説明を省略する。
【００１８】
＜第一実施形態＞
第一実施形態に係るマスク１１０の構造を含む焦電センサについて説明する。
【００１９】
図８Ａはマスク１１０の外観図を、図８Ｂはマスク１１０の開口パターン１１２の寸法例を示す。
【００２０】
マスク１１０は、赤外線を遮断するシート部１１１と、そのシート部１１１に形成された複数の貫通孔からなる開口パターン１１２と取付部１１３とからなる。マスクの構造は、シート部１１１と開口パターン１１２とを含む。
【００２１】
例えば、マスク１１０は、金属板に対して打ち抜き加工を施すことによって成型される（パンチングメタル）。
【００２２】
焦電センサの検知面上において焦電センサの二つの焦電素子の配設方向をｘ方向とし、検知面上においてｘ方向に垂直の方向をｙ方向とする。開口パターン１１２は、従来の開口パターンに対して十分な傾斜を設けることにより、ｘ方向及びｙ方向それぞれの動体の動きに対して、二つの焦電素子９１Ｒ，９１Ｌの照射範囲の割合が変化するように形成されている。
【００２３】
開口パターンが、焦電センサの中心を通るｘ方向の軸及びｙ方向の軸に関して対称である場合、ｘ方向またはｙ方向の動体の動きに対して二つの焦電素子９１Ｒ，９１Ｌの照射範囲の割合が変化しない場合がある。ここで「焦電センサの中心」とは検知面上に配置された焦電素子９１Ｒと焦電素子９１Ｌとが点対称となるような点を意味し、「開口パターンが、焦電センサの中心を通るｘ方向の軸及びｙ方向の軸に関して対称である」とは「ｘ方向及びｙ方向に対して垂直の方向をｚ方向とし、焦電センサの中心を通るｘ方向及びｙ方向の軸を、ｚ方向に開口パターンの形成面までそれぞれスライドさせたｘ’軸及びｙ’軸に対して、開口パターンが線対称」であることを意味する。例えば、マスク９３の開口パターンでは、ｙ方向の動体の動きに対して二つの焦電素子９１Ｒ，９１Ｌの照射範囲の割合が変化しない。そのため、開口パターン１１２は、焦電センサの中心を通るｘ方向の軸及びｙ方向の軸に関して非対称となるように形成される。またｘ方向の軸（ｘ’軸）及びｙ方向の軸（ｙ’軸）により二つに分割される開口パターンの面積比が同一となるように開口パターンが形成される。
【００２４】
例えば、開口パターンは、焦電センサの中心に対し点対称である。ここで、「焦電センサの中心に対し点対称」とは、「焦電センサの中心をｚ方向に開口パターンの形成面までスライドさせた点ｏ’に対し点対称」であることを意味する。
【００２５】
本実施形態では、開口パターン１１２は、八つの貫通孔１１２−１〜１１２−８からなる。
【００２６】
三つの貫通孔１１２−１〜１１２−３はｙ方向に延伸する第一貫通孔列を構成し、三つの貫通孔１１２−５〜１１２−７はｙ方向に延伸する第二貫通孔列を構成する。貫通孔１１２−４は、第一貫通孔列の、第二貫通孔列がない側に配置される。貫通孔１１２−８は、第二貫通孔列の、第一貫通孔列がない側に配置される。二つの貫通孔１１２−２及び１１２−７はｘ方向に延伸する列を形成し、二つの貫通孔１１２−３及び１１２−６はｘ方向に延伸する列を形成する。三つの貫通孔１１２−４、１１２−１及び１１２−２は、正三角形の頂点の位置に配置されている。三つの貫通孔１１２−８、１１２−５及び１１２−６は、正三角形の頂点の位置に配置されている。
【００２７】
言い換えると、三つの貫通孔１１２−１〜１１２−３は、順に等間隔に並べられ、ｙ方向に延伸する第一貫通孔列を構成する。三つの貫通孔１１２−５〜１１２−７は、それぞれ焦電センサの中心に対し、三つの貫通孔１１２−１〜１１２−３の点対称となるように形成され、第二貫通孔列を構成する。貫通孔１１２−２及び１１２−７はｘ方向において隣接し、貫通孔１１２−３及び１１２−６はｘ方向において隣接する。貫通孔１１２−４は、焦電センサの中心から見て、第一貫通孔列の外側に形成される。そして、三つの貫通孔１１２−４、１１２−１及び１１２−２は、正三角形の頂点の位置に配置されている。貫通孔１１２−８は、焦電センサの中心に対し、貫通孔１１２−４の点対称となるように形成される。
【００２８】
例えば、第一貫通孔列と第二貫通孔列とのｘ方向における距離は０．５ｍｍ、各貫通孔の直径は０．５ｍｍ、正三角形の頂点を成す貫通孔の中心間の距離は０．９ｍｍである。これらの距離や直径は、シート部１１１と焦電素子との距離（例えば、１．１ｍｍ）や、焦電素子の位置、大きさ等により適宜設定すればよい。なお、焦電素子としてはＰＺＴ（lead zirconate titanate：チタン酸ジルコン酸鉛）系焦電体セラミックス等がある。ＰＺＴ系焦電体セラミックスは、チタン酸鉛（ＰｖＴｉＯ３）とジルコン酸鉛（ＰｂＺｒＯ３）の固溶体になっているセラミックスである。
【００２９】
図９は、開口パターン１１２を含む構造の概略図を示す。図１０は開口パターン１１２によって生じる不感地帯１０２の位置を表し、図１０Ａは動体が焦電センサの正面に位置する場合の不感地帯１０２と二つの焦電素子９１Ｒ，９１Ｌとの位置関係を、図１０Ｂは動体が焦電センサに対してｘ方向（左方向）に移動した場合の不感地帯１０２と二つの焦電素子９１Ｒ，９１Ｌとの位置関係を、図１０Ｃは動体が焦電センサに対してｙ方向（上方向）に移動した場合の不感地帯１０２と二つの焦電素子９１Ｒ，９１Ｌとの位置関係を示す。ただし、簡略化のため、照射部分を円形状ではなく、照射部分が存在する領域として表示している。
【００３０】
マスク１１０の開口パターン１１２に上述の形状とすることで、図１１に示すように、ｘ方向及びｙ方向それぞれの動体の移動に対して、二つの焦電素子９１Ｒ，９１Ｌの照射範囲の割合が変化する。図１０Ｂにおいて、焦電素子９１Ｒの照射範囲が２２．５％増加し、焦電素子９１Ｌの照射範囲が３０％減少し、その差分は５２．５％となる。また、図１０Ｃにおいて、焦電素子９１Ｒの照射範囲が３０％増加し、焦電素子９１Ｌの照射範囲が３０％減少し、その差分は６０％となる。従来技術とほぼ変わらないｘ方向の検知感度を可能としつつ、従来技術ではできなかったｙ方向の検知が可能となる。また、焦電素子９１Ｒ，９１Ｌ及びマスク１１０の開口パターン１１２を９０度回転させて取り付ければ、従来技術と変わらないｘ方向の検知感度で、従来技術ではできなかったｙ方向の検知が可能となる。
【００３１】
ただし、図１１の数値は、図１０や後述する図１３、図１５、図１７及び図１９のように不感地帯が理想的な形状で変化し、動体が理想的な距離で動いたときの数値であり、開口パターンとその不感地帯との関係を概念的に説明するために例示した値であって実際の照射範囲の割合とは必ずしも一致しない。よって、図８Ｂ記載の寸法としても必ずしも図１１の数値とはならない。また、実際のマスクの構造の設計においては、理想的に不感地帯が変化し、動体が移動すると想定して、要求される仕様に合うように、図９や後述する図１２、図１４、図１６及び図１８のような開口パターンを設計する。例えば、ｘ方向とｙ方向の感度のバランスが良いものを要求される場合には、図９のような開口パターンを設計する。
【００３２】
＜効果＞
このような構成のマスクの構造を利用すれば、デュアルタイプの焦電センサでｘ方向及びｙ方向において、動体の動きを精度良く検知することができる。
【００３３】
＜その他の変形例＞
本発明は上記の実施形態及び変形例に限定されるものではない。例えば、開口パターンは上述の開口パターン１１２に限定されるものではなく、従来の開口パターンに対して傾斜を設けることにより、ｘ方向及びｙ方向それぞれの動体の移動に対して、二つの焦電素子９１Ｒ，９１Ｌの照射範囲の割合が変化するように開口パターンを形成し、これによってｘ方向及びｙ方向の動体の動きを検知可能とすればよい。例えば、焦電センサの中心を通るｘ方向の軸及びｙ方向の軸に関して対称でなく、焦電センサの中心に対し点対称であればよい。
【００３４】
図１２、図１４、図１６及び図１８は、それぞれマスク１１０の開口パターン１１２Ａ、１１２Ｂ、１１２Ｃ及び１１２Ｄを含む構造の概略図を示す。
【００３５】
図１３、図１５、図１７及び図１９は、それぞれ動体の位置に対する不感地帯１０２Ａ、１０２Ｂ、１０２Ｃ及び１０２Ｄの位置を表す。なお、不感地帯１０２Ａ、１０２Ｂ、１０２Ｃ及び１０２Ｄは、それぞれ開口パターン１１２Ａ、１１２Ｂ、１１２Ｃ及び１１２Ｄによって生じる。図１３Ａ、図１５Ａ、図１７Ａ及び図１９Ａは、それぞれ動体が焦電センサの正面に位置する場合の不感地帯１０２Ａ、１０２Ｂ、１０２Ｃ及び１０２Ｄと二つの焦電素子９１Ｒ，９１Ｌとの位置関係を示す。図１３Ｂ、図１５Ｂ、図１７Ｂ及び図１９Ｂは、それぞれ動体が焦電センサに対してｘ方向（左方向）に移動した場合の不感地帯１０２Ａ、１０２Ｂ、１０２Ｃ及び１０２Ｄと二つの焦電素子９１Ｒ，９１Ｌとの位置関係を示す。図１３Ｃ、図１５Ｃ、図１７Ｃ及び図１９Ｃは、それぞれ動体が焦電センサに対してｙ方向（上方向）に移動した場合の不感地帯１０２Ａ、１０２Ｂ、１０２Ｃ及び１０２Ｄ２と二つの焦電素子９１Ｒ，９１Ｌとの位置関係を示す。
【００３６】
図１１、図１３、図１５、図１７及び図１９から開口パターン１１２Ａ、１１２Ｂ、１１２Ｃ及び１１２Ｄを用いれば、何れの場合も、焦電センサはｘ方向及びｙ方向の動体の動きを検知することができることが分かる。特に、ｙ方向の検知感度を上げたい場合には、開口パターン１１２Ｃが有効である。また、ｘ方向の動体の動きに関して、従来技術と同程度の検知感度を維持したい場合には、開口パターン１１２Ｄを利用するか、または、焦電素子９１Ｒ，９１Ｌ及び開口パターン１１２を９０度回転させて用いるとよい。両方向に対する検知感度を総合すると、開口パターン１１２が最も優れている。
【００３７】
なお、開口パターンを形成する複数の貫通孔は、必ずしも円形状である必要はなく、適宜変更すればよい。例えば、図２０Ａ、図２０Ｂに変形例を示す。
【００３８】
また、開口パターンを形成する複数の貫通孔は、必ずしも四つ以上である必要はなく、二つの焦電素子に対応すればよく、適宜変更すればよい。例えば、図２０Ｃ、図２０Ｄに変形例を示す。
【００３９】
また、開口パターンを形成する複数の貫通孔は、必ずしも焦電センサの中心に対し点対称である必要はなく、適宜変更すればよい。例えば、図２０Ｅ、図２０Ｆに変形例を示す。
【００４０】
さらに、開口パターンを形成する貫通孔は、必ずしも複数からなる必要はなく、一つの貫通孔からなるものでもよく、適宜変更すればよい。例えば、図２０Ｇに変形例を示す。要は、ｘ方向及びｙ方向それぞれの動体の動きに対して、二つの焦電素子に対する赤外線の照射範囲の割合が変化するように開口パターンが形成されていればよい。
【００４１】
また、開口パターンを形成する貫通孔は、シート部１１１を貫通するものであって、赤外線を通過させるためのものであればよく、必ずしもマスク１１０の内側（二つの焦電素子が配置される側）と外側とを連通する必要はない。例えば、赤外線を透過するフィルム等をシート部に貼合し、貫通孔を塞いでもよい。
【００４２】
また、本実施形態では、金属板に対して打ち抜き加工を施すことによってマスク１１０を成型しているが、赤外線を透過するフィルム等に、貫通孔からなる開口パターンが形成されるように、赤外線を遮断するシート部を印刷してもよい。
【００４３】
その他、本発明の趣旨を逸脱しない範囲で適宜変更が可能である。
【符号の説明】
【００４４】
１１０ マスク
１１１ シート部
１１２、１１２Ａ、１１２Ｂ、１１２Ｃ、１１２Ｄ   開口パターン
１１２−１〜１１２−８      貫通孔
１１３ 取付部
【図１】
0005531062.tif 000002
【図２】
0005531062.tif 000003
【図３】
0005531062.tif 000004
【図４】
0005531062.tif 000005
【図５】
0005531062.tif 000006
【図６】
0005531062.tif 000007
【図７】
0005531062.tif 000008
【図８】
0005531062.tif 000009
【図９】
0005531062.tif 000010
【図１０】
0005531062.tif 000011
【図１１】
0005531062.tif 000012
【図１２】
0005531062.tif 000013
【図１３】
0005531062.tif 000014
【図１４】
0005531062.tif 000015
【図１５】
0005531062.tif 000016
【図１６】
0005531062.tif 000017
【図１７】
0005531062.tif 000018
【図１８】
0005531062.tif 000019
【図１９】
0005531062.tif 000020
【図２０】
0005531062.tif 000021